(57)【要約】【課題】クーリングタワーを点検する際に必要とされる点検用架台について、必要なときにのみ用いることができる新規な構造の架台を提案する。【解決手段】クーリングタワー２の上部に設置するためのクーリングタワー点検用架台１であって、クーリングタワー２の上部開口部２１の周囲に付設される、複数の円弧状支持枠体３２を連結してなる分割式円形枠体３０と、分割式円形枠体３０に着脱可能に載置される弧状板部材３４，３４と、を少なくとも有する構成とする。【選択図】図１
2014125739.tif 000002
【特許請求の範囲】
【請求項１】
クーリングタワーの上部に設置するためのクーリングタワー点検用架台であって、
前記クーリングタワーの上部開口部の周囲に付設される、複数の円弧状支持枠体を連結してなる分割式円形枠体と、
前記分割式円形枠体に着脱可能に載置される弧状板部材と、
を少なくとも有する、クーリングタワー点検用架台。
【請求項２】
前記円弧状支持枠体には、
前記クーリングタワーの上部開口部の開口縁に当接するための係合部が設けられる、
ことを特徴とする、請求項１に記載のクーリングタワー点検用架台。
【請求項３】
前記円弧状支持枠体には、
前記クーリングタワーのハウジングに載置され、前記ハウジングにて前記分割式円形枠体を支持させるための支持脚部が設けられる、
ことを特徴とする、請求項１又は請求項２に記載のクーリングタワー点検用架台。
【請求項４】
前記円弧状支持枠体は、
手摺の柱部を取付けるための手摺固定部を有する、
ことを特徴とする請求項１乃至請求項３のいずれか一項に記載のクーリングタワー点検用架台。
【請求項５】
前記弧状板部材には、
板厚方向に嵌通する貫通穴が複数箇所に形成される、
ことを特徴とする、請求項１乃至請求項４のいずれか一項に記載のクーリングタワー点検用架台。
【請求項６】
前記クーリングタワーの上部開口部を上方から覆うための、円盤状の足場部材をさらに有する、
ことを特徴とする、請求項１乃至請求項５のいずれか一項に記載のクーリングタワー点検用架台。
【発明の詳細な説明】
【技術分野】
【０００１】
本発明は、ビル、工場建物、学校施設、病院の屋上などに設置されるクーリングタワー（冷却塔）を点検する際に用いる架台に関する。
【背景技術】
【０００２】
従来、空調装置の熱交換器の冷媒として使用される冷却水を空気によって冷却するクーリングタワー（冷却塔）が知られており、クーリングタワーの構造について開示する文献も存在する（例えば、特許文献１参照。）。
【０００３】
特許文献１にも開示されるように、クーリングタワーは、モーター駆動される冷却ファンで外気を取り込んで冷却空気流を発生し、この冷却空気流をクーリングタワー内で散水した冷却水に接触させることで、冷却水の温度を低下させるものである。
【先行技術文献】
【特許文献】
【０００４】
【特許文献１】特開平０９−５３８９６号公報
【発明の概要】
【発明が解決しようとする課題】
【０００５】
クーリングタワーにおいては、上述した冷却ファンや、冷却ファンを駆動するモーターなどを定期的に点検する必要がある。
【０００６】
ここで、特許文献１にも図示されるように、冷却空気流を効率よく発生させ、効率よく熱交換を行う観点から、冷却ファンやモーターはクーリングタワーの上部に配置され、上部に配置された開口部から冷却空気流を上方へと排気する構造となっている。
【０００７】
このため、冷却ファンやモーターなどの点検作業の際には、１メートル以上の高さがあるクーリングタワーに上って開口部から覗きこむようにして点検作業をする必要があった。
【０００８】
この作業は高所作業であり、さらに、上から覗き込んで作業を行う必要があるため、その安全性の確保や作業効率を高めるため、足場や作業台となる架台を設置することの要望があった。
【０００９】
しかしながら、仮に架台を恒久的に設置することとなると、大掛かりな足場や工事が必要となり、多大なコストがかかってしまうことになる。
【００１０】
また、点検の頻度は、例えば、毎月一回程度などといったように低頻度となることが想定されるため、多大なコストをかけてまで恒久的に設置することは、躊躇されてしまうものであった。
【００１１】
そこで、本発明は以上の問題点に鑑み、クーリングタワーを点検する際に必要とされる点検用架台について、必要なときにのみ用いることができる新規な構造の架台を提案するものである。
【課題を解決するための手段】
【００１２】
本発明の解決しようとする課題は以上の如くであり、次にこの課題を解決するための手段を説明する。
【００１３】
即ち、請求項１に記載のごとく、
クーリングタワーの上部に設置するためのクーリングタワー点検用架台であって、
クーリングタワーの上部開口部の周囲に付設される、複数の円弧状支持枠体を連結してなる分割式円形枠体と、
分割式円形枠体に着脱可能に載置される弧状板部材と、を少なくとも有する、クーリングタワー点検用架台が構成される。
【００１４】
また、請求項２に記載のごとく、
円弧状支持枠体には、クーリングタワーの上部開口部の開口縁に当接するための係合部が設けられる、こととする。
【００１５】
また、請求項３に記載のごとく、
円弧状支持枠体には、クーリングタワーのハウジングに載置され、ハウジングにて分割式円形枠体を支持させるための支持脚部が設けられる、こととする。
【００１６】
また、請求項４に記載のごとく、
円弧状支持枠体は、手摺の柱部を取付けるための手摺固定部を有する、こととする。
【００１７】
また、請求項５に記載のごとく、
弧状板部材には、板厚方向に嵌通する貫通穴が複数箇所に形成される、こととしてもよい。
【００１８】
また、請求項６に記載のごとく、
クーリングタワーの上部開口部を上方から覆うための、円盤状の足場部材をさらに有する、こととする。
【発明の効果】
【００１９】
本発明の効果として、以下に示すような効果を奏する。
【００２０】
即ち、請求項１に記載の発明においては、クーリングタワーの点検が必要となった際にのみ、現場に各構成部材を搬入し、現場で適宜組み立てることによって、点検用架台を設置することが可能となり、恒久的な架台の設置を不要なものとすることができる。また、組立式とすることによりコンパクトに収納することが可能となり、保管スペースも少なくすることができ、また、持ち運びも容易なものとなる。
【００２１】
また、請求項２に記載の発明においては、係合部をクーリングタワーの上部開口部の開口縁に当接させつつ、支持脚部をハウジングの傾斜面に載置することで、円弧状支持枠体をクーリングタワーに対して位置決めすることができる。
【００２２】
また、請求項３に記載の発明においては、クーリングタワーのハウジングによって、点検用架台を支持することができる。
【００２３】
また、請求項４に記載の発明においては、点検用架台について手摺を設置することができる。
【００２４】
また、請求項５に記載の発明においては、弧状板部材の重量を軽くすることができ、持ち運びや組立の際の負担を軽減することができる。
【００２５】
また、請求項６に記載の発明においては、適宜、足場部材を利用することによって、広い作業スペースや足場を確保することが可能となる。
【図面の簡単な説明】
【００２６】
【図１】点検用架台の一実施形態について示す斜視図である。
【図２】円弧状支持枠体などの構成について示す斜視図である。
【図３】ハウジングに設置された点検用架台の状態について説明する側面断面図である。
【図４】（Ａ）は、支持脚部などについて示す側面図である。（Ｂ）は、二体の円弧状支持枠体の連結の構成について示す側面図である。
【図５】（Ａ）は、一対の手摺パイプにおける一側の連結形態について示す図である。（Ｂ）は、一対の手摺パイプにおける他側の連結形態について示す図である。
【図６】（Ａ）は、柱部に対する中間手摺の取り付けについて説明する側面図である。（Ｂ）は、中間手摺の構造について説明する平面図である。
【発明を実施するための形態】
【００２７】
本発明は、ビル、工場建物、学校施設、病院の屋上などに設置されるクーリングタワー（冷却塔）を点検する際に用いる架台であり、以下、図面を参照して実施形態について説明する。
【００２８】
図１は、点検用架台１の全体構成について示す斜視図である。点検用架台１は、クーリングタワー２の上部に設置されるものであり、クーリングタワー２の上部開口部２１の周囲に付設される、複数の円弧状支持枠体３２，３２（本実施形態では２つ）を連結してなる分割式円形枠体３０と、分割式円形枠体３０に着脱可能に載置される弧状板部材３４，３４と、を有して構成される。
【００２９】
図２は、円弧状支持枠体３２の構成について示す斜視図である。円弧状支持枠体３２は、全体として半円弧状に構成されるものであり、周方向の両端部に半径方向に伸びる端部フレーム部３２ａ，３２ｂを有し、周方向の中間部に半径方向に伸びるセンターフレーム部３２ｃを有している。
【００３０】
なお、本実施形態の円弧状支持枠体３２は、半円弧状に構成され、二体の円弧状支持枠体３２によって分割式円形枠体３０を構成することとしたが、これに限らず、例えば、三体、四体などといったより、より数の多い（分割数の多い）円弧状支持枠体３２によって分割式円形枠体３０を構成することとしてもよい。
【００３１】
また、端部フレーム部３２ａ，３２ｂとセンターフレーム部３２ｃの間には、それぞれ、半径方向に伸びる中間フレーム部３２ｆ，３２ｇが配置されるようになっている。
【００３２】
また、円弧状支持枠体３２は、内周側に内側弧状フレーム部３２ｄを有し、外周側に外側弧状フレーム部３２ｅを有している。内側弧状フレーム部３２ｄと外側弧状フレーム部３２ｅは、端部フレーム部３２ａ，３２ｂ、センターフレーム部３２ｃ、中間フレーム部３２ｆ，３２ｇによって接続されるようになっている。
【００３３】
そして、端部フレーム部３２ａとセンターフレーム部３２ｃと内側弧状フレーム部３２ｄと外側弧状フレーム部３２ｅによって囲まれる空間部３２ｘが形成され、この空間部３２ｘを上側から塞ぐように、弧状板部材３４が設置される。
【００３４】
同様に、端部フレーム部３２ｂとセンターフレーム部３２ｃと内側弧状フレーム部３２ｄと外側弧状フレーム部３２ｅによって囲まれる空間部３２ｙについても、弧状板部材３４が設置される。
【００３５】
弧状板部材３４は、その板面３４ｈによって、作業員の足場や、工具などを置く作業スペースとして機能するものである。
【００３６】
端部フレーム部３２ａ，３２ｂとセンターフレーム部３２ｃには、弧状板部材３４を下側から支えるための突起部３６，３６が突設されており、弧状板部材３４は、この突起部３６，３６と、中間フレーム部３２ｆ，３２ｇによって下側から支えられるようになっている。
【００３７】
図２に示すごとく、センターフレーム部３２ｃは、幅Ｗを有する板面３２ｈを有しており、この板面３２ｈが、弧状板部材３４の板面３４ｈと同様に、作業員の足場や、工具などを置く作業スペースとして機能するようになっている。
【００３８】
センターフレーム部３２ｃの板面３２ｈには、貫通穴３２ｋ，３２ｋが複数貫設されることにより、軽量化が図られている。
【００３９】
図３及び図４（Ａ）に示すごとく、センターフレーム部３２ｃの下部には、クーリングタワー２の外装を構成するハウジング２２に載置されるための支持脚部３８が設けられている。
【００４０】
本実施形態では、支持脚部３８を縦板面３８ａ，３８ｂと、底板面３８ｃによって板枠状に構成し、強度を確保しつつ、軽量化が図られている。
【００４１】
底板面３８ｃは、ハウジング２２に形成される傾斜面２２ａの角度と略同等の傾斜を有する構成としており、支持脚部３８がハウジング２２に載置された状態では、センターフレーム部３２ｃの板面３２ｈが略水平な面を構成するように設計されている。
【００４２】
また、図３に示すごとく、内側弧状フレーム部３２ｄには、クーリングタワー２の上部開口部２１の開口縁２２ｂに当接するための係合部３２ｓが設けられる。
【００４３】
本実施例では、係合部３２ｓは、内側弧状フレーム部３２ｄの表面から上側に突出するように、角柱状の樹脂部材を横倒しに設置することで構成され、クーリングタワー２の上部開口部２１を取り囲むように水平方向に形成される開口縁２２ｂの下面に当接するように構成されている。なお、係合部３２ｓは、複数の突起部を円弧方向に配置させることとほか、周方向に伸びる連続した壁状のものにて構成することとしてもよい。
【００４４】
以上の構成により、係合部３２ｓをクーリングタワー２の上部開口部２１の開口縁２２ｂに当接させつつ、支持脚部３８をハウジング２２の傾斜面２２ａに載置することで、円弧状支持枠体３２をクーリングタワー２に対して位置決めすることができる。
【００４５】
また、図２に示すごとく、端部フレーム部３２ａ，３２ｂの下部には、二体の円弧状支持枠体３２を連結するための連結部３２ｍ，３２ｎが設けられる。
【００４６】
図４（Ｂ）に示すごとく、この連結部３２ｍ，３２ｎを互いに付け合わせた状態とし、ボルト５、ナット６を締結して互いに連結することで、分離している二体の円弧状支持枠体３２が一体化される。なお、ボルト５、ナット６を用いるほか、クランプ機構を設けるなどして、工具を用いずに二体の円弧状支持枠体３２の一体化がなされることとしてもよい。
【００４７】
また、図２に示すごとく、点検用架台１は、クーリングタワー２の上部開口部２１を上方から覆うための、円盤状の足場部材４２をさらに有する構成としてもよい。
【００４８】
足場部材４２は、上部開口部２１の内径よりも大きい直径を有する円盤状の板面４２ａを有して構成される。板面４２ａの外周部は、円弧状支持枠体３２の内側弧状フレーム部３２ｄの複数箇所に設けられた樹脂製の支持部材３２ｓによって下側から支持される。
【００４９】
また、足場部材４２の板面４２ｈには、二箇所に持ち手４２ｂ，４２ｂが設けられており、この持ち手４２ｂ，４２ｂを利用して足場部材４２に持ち運びや、取り付け、取り外しの操作を行い易いようにしている。
【００５０】
また、足場部材４２の板面４２ｈには、貫通穴４２ｋ，４２ｋが複数貫設されることにより、軽量化が図られている。
【００５１】
また、図１に示すごとく、点検用架台１は、手摺５０を有する構成としている。この手摺５０は、本実施形態では、一対の手摺パイプ５２，５２を円弧状支持枠体３２，３２に立設するようにして設けられる。
【００５２】
手摺パイプ５２は、半円弧状の上部手摺５２ａと、上部手摺５２ａの周方向の両端部と中間部において、それぞれ下方に延設される柱部５２ｂ，５２ｃ，５２ｄとを有している。この手摺パイプ５２は、中空パイプにて構成されることで、軽量化が図られている。
【００５３】
各柱部５２ｂ，５２ｃ，５２ｄは、それぞれ、円弧状支持枠体３２の外側弧状フレーム部３２ｅの外周部に設けた縦筒形状の手摺固定部３２ｖ，３２ｖに挿入される。各柱部５２ｂ，５２ｃ，５２ｄの外周部には、手摺固定部３２ｖの内径よりも径の大きなストッパー部５４が設けられており、手摺固定部３２ｖに各柱部５２ｂ，５２ｃ，５２ｄを挿し込んだ際に、このストッパー部５４が手摺固定部３２ｖに突き当たって位置決めが行なわれるとともに、ストッパー部５４が手摺固定部３２ｖによって下側から支持される。
【００５４】
また、図４に示すごとく、手摺固定部３２ｖに設けた締め付けネジ３２ｗにより、各柱部５２ｂ，５２ｃ，５２ｄが手摺固定部３２ｖに対して強固に固定される。
【００５５】
図５（Ａ）は、一対の手摺パイプ５２，５２における一側の連結形態について示すものであり、一方の手摺パイプ５２の上部手摺５２ａの端部には挿入用端部５２ｍが構成され、他方の手摺パイプ５２の上部手摺５２ａの端部には被挿入用端部５２ｎが構成されている。
【００５６】
そして、挿入用端部５２ｍを被挿入用端部５２ｎに挿入するとともに、連結ピン５２ｐを挿入用端部５２ｍと被挿入用端部５２ｎについて貫挿することで、挿入用端部５２ｍを被挿入用端部５２ｎを連結ピン５２ｐを介して連結することができる。また、連結ピン５２ｐを抜くことによって、両者の連結を解除することができる。
【００５７】
さらに、図５（Ｂ）は、一対の手摺パイプ５２，５２における他側の連結形態について示すものであり、一方の手摺パイプ５２の端部の柱部５２ｃには、回動式の連結アーム５８が設けられ、他方の手摺パイプ５２の端部の柱部５２ｃには、連結アーム５８と係合する被係合部５９が設けられている。
【００５８】
そして、連結アーム５８を回動して被係合部５９に対して係合されることで、柱部５２ｃ，５２ｃ同士を連結アーム５８を介して連結することができる。また、連結アーム５８を回動することによって、両者の連結を解除することができる。
【００５９】
また、図１に示すごとく、手摺５０には、上部手摺５２ａに加え、中間手摺６０，６０が付設される構成としている。中間手摺６０が設けられることによって、上下方向の二箇所において手摺として機能する円環状の上部手摺５２ａと中間手摺６０が配置されることなり、高所作業の環境において、より安全性の高い構成が実現される。
【００６０】
この中間手摺６０，６０は、帯板状の部材を円弧状に曲げ加工してなるものであり、各柱部５２ｂ，５２ｃ，５２ｄの上下方向中途部に設けられる係合部５２ｆ，５２ｆに係合される。
【００６１】
図６（Ａ）（Ｂ）に示すように、柱部５２ｄには、柱部５２ｄの周面部に挿し込み溝５２ｇを形成するための係合部５２ｆが設けられており、この挿し込み溝５２ｇに対し、上側から中間手摺６０を挿し込むことで、係合部５２ｆに対して中間手摺６０が係合されるようになっている。また、中間手摺６０を上方に引き抜くことによって、係合部５２ｆに対する係合を解除できるようになっている。
【００６２】
なお、図６（Ｂ）に示すように、中間手摺６０について、平面視において柱部５２ｄを間に挟むような突片部６０ａ，６０ａを設け、柱部５２ｄに対する中間手摺６０のズレを防止する構成としてもよい。
【００６３】
次に、以上のように構成される点検用架台１を用いた作業の一実施形態について説明する。
【００６４】
図１に示すごとく、クーリングタワー２のハウジング２２内には、冷却ファン７や、冷却ファン７を駆動するためのモーター８が設けられており、これらを上部開口部２１から点検する必要が生じた際に、点検用架台１が用いられる。
【００６５】
点検用架台１は、各構成部材が分離された状態で現場に搬入され、まず、図２に示す二対の円弧状支持枠体３２を図３に示すように、クーリングタワー２に仮置きした状態とする。
【００６６】
この際、係合部３２ｓをクーリングタワー２の上部開口部２１の開口縁２２ｂに当接させつつ、支持脚部３８をハウジング２２の傾斜面２２ａに載置することで、円弧状支持枠体３２をクーリングタワー２に対して位置決めすることができる。
【００６７】
また、円弧状支持枠体３２は、図２に示すように、空間部３２ｘ，３２ｙを有しているため、その重量が軽く構成されるものとなり、この仮置きの段階の作業負担が小さいものとなる。
【００６８】
次いで、図４（Ｂ）に示すごとく、連結部３２ｍ，３２ｎを互いに付け合わせた状態とし、ボルト５、ナット６を締結して互いに連結することで、分離している二体の円弧状支持枠体３２が一体化されて一つの分割式円形枠体３０が構成される（図１）。
【００６９】
これにより、一体化された分割式円形枠体３０がクーリングタワー２の上部に載置された状態とすることができる。なお、このように、仮置きしてから一体化することとするほか、クーリングタワー２に仮置きする前に一体化することとしてもよい。
【００７０】
次いで、図２に示すごとく、弧状板部材３４を適宜設置して、空間部３２ｘ，３２ｙが埋められ、その板面３４ｈによって、作業員の足場や、工具などを置く作業スペースを形成することができる。
【００７１】
次いで、図２に示すごとく、足場部材４２を適宜設置して、クーリングタワー２の上部開口部２１を覆うことができる。なお、点検時には、この足場部材４２を取り外して点検作業を行うため、この足場部材４２の設置は必須ではない。
【００７２】
次いで、図４（Ａ）（Ｂ）に示すごとく、手摺パイプ５２の柱部５２ｂ，５２ｄを手摺固定部３２ｖに挿入するとともに、締め付けネジ３２ｗによる固定が行われ、二体の手摺パイプ５２がそれぞれ円弧状支持枠体３２に対して立設された状態とする。
【００７３】
次いで、図５（Ａ）（Ｂ）に示すごとく、手摺パイプ５２，５２同士を連結ピン５２ｐ、連結アーム５８によって連結することにより、二体の手摺パイプ５２，５２同士が連結され、図１に示すごとくの円環状の手摺５０が構成される。
【００７４】
次いで、図６（Ａ）（Ｂ）に示すごとく、中間手摺６０を柱部５２ｄの挿し込み溝５２ｇに挿し込んで係合部５２ｆに対して係合させることで、図１に示すごとくの円環状の中間手摺６０が構成される。
【００７５】
以上のように本発明を実施することができる。
即ち、図１及び図２に示すごとく、
クーリングタワー２の上部に設置するためのクーリングタワー点検用架台１であって、
クーリングタワー２の上部開口部２１の周囲に付設される、複数の円弧状支持枠体３２を連結してなる分割式円形枠体３０と、
分割式円形枠体３０に着脱可能に載置される弧状板部材３４，３４と、を少なくとも有する、クーリングタワー点検用架台１が構成される。
【００７６】
これにより、クーリングタワー２の点検が必要となった際にのみ、現場に各構成部材を搬入し、現場で適宜組み立てることによって、点検用架台１を設置することが可能となり、恒久的な架台の設置を不要なものとすることができる。また、組立式とすることによりコンパクトに収納することが可能となり、保管スペースも少なくすることができ、また、持ち運びも容易なものとなる。
【００７７】
また、図３に示すように、円弧状支持枠体３２には、クーリングタワー２の上部開口部２１の開口縁２２ｂに当接するための係合部３２ｓが設けられる、こととする。
【００７８】
これにより、係合部３２ｓをクーリングタワー２の上部開口部２１の開口縁２２ｂに当接させつつ、支持脚部３８をハウジング２２の傾斜面２２ａに載置することで、円弧状支持枠体３２をクーリングタワー２に対して位置決めすることができる。
【００７９】
また、図３に示すごとく、円弧状支持枠体３２には、クーリングタワー２のハウジング２２に載置され、ハウジング２２にて分割式円形枠体３０を支持させるための支持脚部３８が設けられる、こととする。
【００８０】
これにより、クーリングタワー２のハウジング２２によって、点検用架台１を支持することができる。
【００８１】
また、図４（Ａ）に示すごとく、円弧状支持枠体３２は、手摺５０の柱部５２ｃを取付けるための手摺固定部３２ｖを有する、こととする。
【００８２】
これにより、図１に示すように、点検用架台１について手摺５０を設置することができる。
【００８３】
また、弧状板部材３４には、板厚方向に嵌通する貫通穴が複数箇所に形成される、こととしてもよい。
【００８４】
これにより、弧状板部材３４の重量を軽くすることができ、持ち運びや組立の際の負担を軽減することができる。
【００８５】
また、クーリングタワー２の上部開口部２１を上方から覆うための、円盤状の足場部材４２をさらに有する、こととする。
【００８６】
これにより、適宜、足場部材４２を利用することによって、広い作業スペースや足場を確保することが可能となる。
【産業上の利用可能性】
【００８７】
本発明は、ビル、工場建物、学校施設、病院の屋上などに設置されるクーリングタワー（冷却塔）を点検する際に用いる架台として、広く利用することができる。
【符号の説明】
【００８８】
１    点検用架台
２    クーリングタワー
２１    上部開口部
２２    ハウジング
２２ａ  傾斜面
３０    分割式円形枠体
３２    円弧状支持枠体
３２ｓ  係合部
３４    弧状板部材
３８    支持脚部
４２    足場部材
４２ａ  板面
５０    手摺
５２    手摺パイプ
６０    中間手摺
【図１】
2014125739.tif 000003
【図２】
2014125739.tif 000004
【図３】
2014125739.tif 000005
【図４】
2014125739.tif 000006
【図５】
2014125739.tif 000007
【図６】
2014125739.tif 000008